(57)【要約】【課題】隣接する植付条間が特に広げられた作業用通路を走行時においても並設した複数の植付部を植付状に対応させた位置に配置できるようにする。【解決手段】走行車体の走行方向に延長する主フレームに直交方向に苗植付装置取付用の一対の横断フレームを取り付け、これら一対の横断フレームには夫々複数条の苗植付装置を植付条ピッチ（Ｐ）と相当する間隔をあけて取り付けると共に、これら一対の横断フレームを伸縮自在に連結し、常時は前記主フレームを挟む左右の苗植付装置の間隔は前記植付条ピッチと同じ１ピッチとしている一方、除草機や他の農作業機の走行用として前記植付条ピッチ（Ｐ）よりも広幅とした作業用通路の走行時には、前記一対の横断フレームを前記作業用通路幅に対応させて伸長させ、前記主フレームを挟む左右両側の植付装置間の距離を前記作業用通路を挟む左右の植付条間寸法と対応させている。【選択図】図１
2007295871.tif 000002
【特許請求の範囲】
【請求項１】
走行車体の走行方向に延長する主フレームに直交方向に苗植付装置取付用の横断フレームを取り付け、該横断フレームは左右一対の植付装置取付フレームを備え、
前記一対の植付装置取付フレームには夫々複数条の苗植付装置を植付条ピッチ（Ｐ）と相当する間隔をあけて取り付けると共に、これら一対の植付装置取付フレームは近接・離反方向に移動可能とし、
常時は前記主フレームを挟む左右の苗植付装置の間隔は前記植付条ピッチと同じ１ピッチとしている一方、除草機や他の農作業機の走行用として前記植付条ピッチ（Ｐ）よりも広幅とした作業用通路の走行時には、該作業用通路幅に対応させて前記植付装置取付フレームを移動させ、前記主フレームを挟む左右両側の植付装置間の距離を前記作業用通路を挟む左右の植付条間寸法と対応させていることを特徴とする苗移植機。
【請求項２】
前記植付装置取り付けフレームの移動距離は、前記主フレームを挟む左右の苗植付装置間の距離を植付条ピッチＰの２ピッチ以上のピッチ整数倍で広げる構成としている請求項１に記載の苗移植機。
【請求項３】
乗用型で、左右の後輪と、前記主フレームの前端を支承した一輪の前輪を備え、前記左右の後輪は植付条間に位置する寸法に設定すると共に、前記運転台は前記主フレームの後端に運転台を搭載し、かつ
前記主フレームの前部に前記横断フレームを取り付け、左右一対の植付装置取付フレームには、それぞれ２条の苗植付装置を２組取り付けて、左右合わせて８条の植付装置を備えた構成としている請求項１または請求項２に記載の苗移植機。
【請求項４】
前記横断フレームは前記左右一対の植付装置取付フレームから構成して、一方の植付装置取付フレームを前記主フレームに固定して他方側へと延在させ、該植付装置取付フレームの先端に他方の植付装置取付フレームをスライド自在に連結し、
あるいは、前記横断フレームは前記主フレームに固定した中央フレームの両側に前記左右一対の植付装置取付フレームをスライド自在に連結している請求項１乃至請求項３のいずれか１項に記載の苗移植機。
【発明の詳細な説明】
【技術分野】
【０００１】
本発明は複数条の苗移植機に関し、特に、所定ピッチで並設した植付条が多数設けられている圃場内において、除草機や農作業用機が走行可能に植付条間の広げた作業用通路がある場合においても、該作業用通路を走行しながら苗の移植が行えるようにするものである。
【背景技術】
【０００２】
従来、圃場に野菜や米等の苗を植え付ける苗植付装置を、圃場の植付条に対応するピッチで左右方向に複数個並設した苗移植機が提供されている。
この苗移植機として苗植付装置の左右間隔を植付条間に対応させて変更できる構成とした移植機が種々提供されている。
【０００３】
例えば、特開２００２ー１５９２０４号公報では、走行部に主植付部を支持して設ける一方、該主苗植付部の前後両側にスライドフレームに取り付けて副植付部を配置し、移動させる副植付部の前後両側をスライドフレームで支持することで安定させることができるようにしている。
【０００４】
【特許文献１】特開２００２ー１５９２０４号公報
【発明の開示】
【発明が解決しようとする課題】
【０００５】
特許文献１は主苗植付部と副苗植付部の２個の植付部の間隔を植付条の間隔に対応させて調節できる構成としているだけであるため、例えば、４個、６個等の植付部を備える場合には対応できないと共に、通常、圃場の植付条は同一ピッチで設けられている場合が多いため、該植付条に応じたピッチで植付部を車体側に一度固定してしまうと、スライドさせて植付部のピッチを調節することは極めて少ない。
これに対して、複数条の植付部が多数並列している圃場においては、除草機や他の農作業機を走行可能とした作業用通路が条間隔を広げて設けられており、かつ、この作業用通路は複数条毎に設けられている。
前記作業用通路を走行する際には条間隔が広げられるため、車体に対して左右両側に植付部を設けている場合、該植付部の位置を外側に移動させる必要がある。また、植付部の位置を外側に移動させた後に、前記作業用通路が設けられていない植付条間を走行させる際には植付部の位置を元に戻す必要がある。
【０００６】
さらに、車体に対して左右両側にそれぞれ複数の植付部を取り付けている６条、さらには８条植えの場合においては、前記作業用通路に接する左右の植付部の間隔を外側に広げたり、元に戻したりする必要がある一方、これら植付部の外側に並設する植付部の間のピッチは条間ピッチに一定に保持しておく必要がある。
【０００７】
前記特許文献１の苗移植機を含めて従来提供されている苗移植機では、等ピッチで設けられた植付条の間を走行させる場合と、前記作業用通路を走行させる場合との両方に対応させる手段が設けられておらず、この点で使い勝手が悪い問題がある。
【０００８】
本発明は前記問題に鑑みてなされたものであり、隣接する植付条間が特に広げられた作業用通路を走行時においても並設した複数の植付部を植付状に対応させた位置に配置できるようにすることを課題としている。
【課題を解決するための手段】
【０００９】
前記課題を解決するため、本発明は、走行車体の走行方向に延長する主フレームに直交方向に苗植付装置取付用の横断フレームを取り付け、該横断フレームは左右一対の植付装置取付フレームを備え、
前記一対の植付装置取付フレームには夫々複数条の苗植付装置を植付条ピッチ（Ｐ）と相当する間隔をあけて取り付けると共に、これら一対の植付装置取付フレームは近接・離反方向に移動可能とし、
常時は前記主フレームを挟む左右の苗植付装置の間隔は前記植付条ピッチと同じ１ピッチとしている一方、除草機や他の農作業機の走行用として前記植付条ピッチ（Ｐ）よりも広幅とした作業用通路の走行時には、該作業用通路幅に対応させて前記植付装置取付フレームを移動させ、前記主フレームを挟む左右両側の植付装置間の距離を前記作業用通路を挟む左右の植付条間寸法と対応させていることを特徴とする苗移植機を提供している。
【００１０】
前記のように、本発明の苗移植機では、通常の植付条ピッチの２倍あるいは３倍等に拡幅して除草機等の農作業車の通行ができる大きさとした作業用通路を走行する場合においても、隣接する植付装置間のピッチ（Ｐ）をそれぞれ調節するのではなく、この拡幅された作業用通路の幅に対応して、作業用通路の左右に面する植付装置間寸法を外側に広げることができる。
其の際、この作業用通路を挟む左右両側に各外側に並列する植付条間のピッチは一定であるため、本発明では、各植付装置を横断フレームの左右一対の植付装置取付フレームに取り付け、予め使用する圃場の植付条ピッチに合わせて固定している。よって、左右の植付装置取付フレームを互いに近接・離反させて移動させても、各植付装置取付フレームに並設した植付装置間のピッチは植付条ピッチ（Ｐ）と対応した寸法のままであるため、各植付条に沿って苗を植え付けていくことができる。
【００１１】
前記作業用通路の幅は、通常、植付条ピッチ（Ｐ）の２倍（２Ｐ）としている場合が多いため、前記植付装置取付フレームを互いに離反方向に移動させる時には、前記主フレームを挟む左右の苗植付装置間の距離を植付条ピッチＰの２ピッチだけ広げる構成としていることが好ましい。
なお、作業用通路の幅を植付条ピッチ（Ｐ）の３倍以上の整数倍で広げている場合には、前記植付装置取付フレームの移動距離も対応したピッチ整数倍とすればよい。
このように、作業用通路幅が植付条ピッチの整数倍で広げられている場合、乗用タイプの苗移植機では左右の車輪幅は植付条の間に位置される寸法設定とされているため、走行車輪は植付エリアに踏み込むことはない。
即ち、作業用通路の走行時において、１ピッチ分だけ外側に植付装置が移動された場合、左右の走行車輪の一方が１ピッチ分だけ内側の植付条間に移動するだけのこととなり、植付条のエリアには踏み込まない。
【００１２】
多数の植付条を並設した圃場において、前記作業用通路を設けている圃場は比較的大面積の圃場であるため、苗移植機も乗用タイプの８条植えとしていることが好ましい。
従って、本発明の苗移植機は、乗用型で、左右の後輪と、前記主フレームの前端を支承した一輪の前輪を備え、前記左右の後輪は植付条間に位置する寸法に設定すると共に、前記運転台は前記主フレームの後端に運転台を搭載し、かつ
前記主フレームの前部に前記横断フレームを取り付け、左右一対の植付装置取付フレームには、それぞれ２条の苗植付装置を２組取り付けて、左右合わせて８条の植付装置を備えた構成としていることが好ましい。
【００１３】
前記８条植えの苗移植機では、左右の各植付装置取付フレームに並設する４条の植付装置のピッチは、植付条ピッチ（Ｐ）と対応させて夫々横断フレームに固定している。
前記作業用通路の走行時のみ、主フレームを挟む最内側の左右の植付装置間隔のみが広げられる一方、８条の植付条が並列している領域では主フレームを挟む最内側の左右の植付装置間の１ピッチとなり、並列する８個の植付装置が全て１ピッチで並列させている。
【００１４】
前記横断フレームは前記左右一対の植付装置取付フレームから構成して、一方の植付装置取付フレームを前記主フレームに固定して他方側へと延在させ、該植付装置取付フレームの先端に他方の植付装置取付フレームをスライド自在に連結している。
あるいは、前記横断フレームは前記主フレームに固定した中央フレームの両側に前記左右一対の植付装置取付フレームをスライド自在に連結している。
【００１５】
前記フレームのスライド自在に連結する機構としては、従来公知の種々のスライド機構を採用することができる。
例えば、一方は外筒とすると共に他方を内軸とし、前記植付条ピッチをあけて複数のボルト穴を外筒に設ける一方、内軸に１つのネジ穴を設け、外筒を移動させて任意のボルト穴を内軸のネジ穴と一致させてボルトを締結する構成としている。
前記構成とすると、必ず１ピッチ分だけ移動させることができるため、調節を簡単に行うことができる。
なお、伸縮機構としては、左右の横断フレームの接合部にターンバックルを設けてもよいし、油圧シリンダーや電動モータを設けてスイッチ操作で自動的に１ピッチ分等の所定距離を移動させることができる構成としてもよい。
【発明の効果】
【００１６】
上述したように、本発明の苗移植機によれば、同一ピッチの多数並設した植付条を設けた圃場において、植付条の間を広げて除草機や他の農作業機を走行可能とした作業用通路が設けられている場合、該作業用通路を走行する際、横断フレームの左右一対の植付装置取付フレームの少なくとも一方を移動させて、作業用通路に面する左右の植付装置の間だけ広げて植付条に対応した位置に移動させることができる一方、これら移動させた植付装置の外側に並設する植付装置間のピッチは植付条ピッチと同一の一定に保持しているため、各植付装置をそれぞれ植付条に対応させて位置させることができる。
また、前記作業用通路がない領域では、植付装置取付フレームを近接させて、並設する全ての植付装置ピッチを植付条ピッチと同一に保持できる。
このように作業用通路の有無にかかわらず、常に、植付装置を植付条と対応させた位置に簡単に位置させることができ、作業性のよい苗移植機とすることができる。
【発明を実施するための最良の形態】
【００１７】
以下、本発明の実施形態を図面を参照して説明する。
図１乃至図４は第１実施形態の乗用型８条植えの苗移植機１を示す。
該苗移植機１は走行車体２の前後走行方向に延在する主フレーム５の前端に前輪６を備えると共に主フレーム５の後部に運転台４を搭載すると共に左右一対の後輪７Ａ、７Ｂを備えている。
【００１８】
前記主フレーム５の前部には直交方向に横断フレーム１０を取り付けている。
前記横断フレーム１０は、左右一対の植付装置取付フレーム１１、１２とからなり、右側の植付装置取付フレーム１１を主フレーム５に固定して左側まで突設し、左側の植付装置取付フレーム１２とスライド自在に連結している。
前記植付装置取付フレーム１１は軸材とて、筒材からなる植付装置取付フレーム１２に内嵌し、後述するように、所要位置でボルト締めで連結している。
【００１９】
前記植付装置取付フレーム１１には、２条の植付部２０ａ、２０ｂを備えた植付装置２０と、２条の植付部２０ｃ、２０ｄを備えた植え付け装置２０’とを連結バー１４を介して互いに固定すると共に、該連結バー１４を前記植付装置取付フレーム１１に固定している。よって、植付装置取付フレーム１１には、合計４条となる植付部２０ａ、２０ｂ、２０ｃ、２０ｄを同一の植付条ピッチＰで並設している。
同様に、植付装置取付フレーム１２にも、２条の植付部２１ａ、２１ｂを備えた植付装置２１と、２条の植付部２１ｃ、２１ｄを備えた植付装置２１’とを連結バー１４’を介して互いに固定すると共に、該連結バー１４’を前記植付装置取付フレーム１２に固定している。よって、植付装置取付フレーム１２にも、合計４条となる植付部２１ａ、２１ｂ、２１ｃ、２１ｄを同一の植付条ピッチＰで並設している。
【００２０】
前記左右の植付装置取付フレーム１１、１２の連結部は、図３に示すように、主フレーム５に固定する植付装置取付フレーム１１の先端に１つのネジ穴１１ａを設ける一方、筒材からなる植付装置取付フレーム１２には、その長さ方向に植付条ＳのピッチＰと同一間隔をあけて複数のボルト軸部挿通用穴１２ａ１、１２ａ２、１２ａ３を設けている。
植付装置取付フレーム１１側の植付部２０ｄと植付装置取フレーム１２側の植付部２１ａのピッチＰ’を調節する際には、植付装置取付フレーム１２を移動させて、前記ボルト軸部挿通用穴１２ａ１、１２ａ２あるいは１２ａ３をネジ穴１１ａと一致させてボルトＢをねじ込んで締結している。
このように、主フレーム５に固定した植付装置取付フレーム１１に対して、植付装置取付１２をスライドさせることにより、植付部２０ｄと２０ａとのピッチＰ’を１ピッチ（１Ｐ）、２ピッチ、３ピッチと調節可能としている。
【００２１】
植付装置取付フレーム１２のうち、最も外方に設けたボルト穴１２ａ１にボルトＢを締結して植付装置取付フレーム１１と１２とを固定すると、図４に示すように、植付部２０ｄと２１ａのピッチＰ’が他の植付部間のピッチＰと同一幅となり、苗を等ピッチＰ間隔で８条植え付けることができる。
一方、ボルト穴１２ａ１以外のボルト穴１２ａ２、１２ａ２にボルトＢを締結して植付装置取付フレーム１２を植付装置取付フレーム１１に固定すると、各ボルト穴をピッチＰで設けているため、Ｐ’＝２Ｐ、３Ｐとなり、ピッチＰ’はピッチＰの整数倍となる。このように、植付部２０ｄと２１ａのピッチＰ’が他の植付条Ｓ間のピッチＰよりも大きくなり、除草機や他の農作業機の走行用とした広幅の作業用通路に合わせた苗の植え付けが可能となる。
【００２２】
また、前記左右の後輪７Ａと７Ｂの間隔も前記ピッチＰの整数倍とすると共に、植付部２０ｂと２０ｃの間の後輪７Ｂを位置させ、２１ｂと２１ｃの間に後輪７Ａを位置させているため、隣接する植付条の間に後輪７Ａ、７Ｂは必ず位置し、植付部と前後同一線上に後輪７Ａ、７Ｂがくることはない。
【００２３】
前記構成によれば、図１に示すように、同一ピッチの多数並設した植付条Ｓを設けた圃場において、植付条Ｓの間を広げて除草機や他の農作業機を走行可能とした作業用通路Ｒが設けられている場合、該作業用通路Ｒを走行する際、右側の植付装置取付フレーム１２を外側へ移動させ、作業用通路Ｒに面する左右の植付部２０ｄと２１ａの間Ｐ’だけ広げて、作業用通路Ｒに面する植付条Ｓ１、Ｓ２に対応した位置に移動させることができる。
其の際、植付部２０ｄと並設する２０ｃ〜２０ａは夫々植付条ピッチＰで位置固定されているため、作業用通路Ｒの右側の領域の植付条Ｓにそれぞれ対応して位置する。
【００２４】
一方、図４に示すように、前記作業用通路Ｒがない領域では、左側の植付装置取付フレーム１２を内側に移動させた後に、前記ボルト穴とネジ穴を一致させてボルトＢで締結すると、並設する８条の全ての植付部２０ａ〜２０ｄ、２１ａ〜２１ｄの同一ピッチＰとして植付条Ｓのピッチと同一に位置させることができる。
このように作業用通路Ｒの有無にかかわらず、常に、植付装置２０、２０’、２１、２１’の植付部２０ａ〜２０ｄ、２１ａ〜２１ｄを植付条Ｓと対応させた位置に簡単に位置させることができ、作業性のよい苗移植機とすることができる。
【００２５】
図５は第２実施形態の要部を示し、横断フレーム１０の構成を第１実施形態と変えている。
横断フレーム１０は主フレーム５に中央を固定した中央フレーム３０の両側に、其の両側に第１実施形態と同様な左右の植付装置取付フレーム１１’、１２’を連結しており、中央フレーム３０に対して植付装置取付フレーム１１’、１２’をスライド自在としている。
【００２６】
前記中央フレーム３０は中実材として両端に各１つのネジ穴３０ａ、３０ｂを設ける一方、左右の植付装置取付フレーム１１’，１２’は筒状として中央フレーム３０にスライド自在に外嵌し、１／２ピッチ（Ｐ）でボルト穴１１ａ１’〜１１ａ４’、１２ａ１’〜１２ａ４’を設けている。
前記左右の植付装置取付フレーム１１’、１２’には第１実施形態と同様に各４条の植付部２０ａ〜２０ｄ、２１ａ〜２１ｄを連結固定している。
【００２７】
この場合、左右の植付装置取付フレーム１１’と１２’とを同一ピッチで中央フレーム３０に対して近接離反させることで、第１実施形態と同様に主フレーム５を挟む左右の植付部２０ｄと２１ａの間隔Ｐを調節することができる。
【００２８】
さらに、本発明は前記実施形態に限定されず、本発明の特許請求の範囲において種々の形態を含むものである。
【図面の簡単な説明】
【００２９】
【図１】本発明の実施形態の苗移植機と作業用通路Ｒを有する圃場との関係を示す平面図である。
【図２】図１の側面図である。
【図３】左右の植付装置取付フレームのスライド構造を示す断面図である。
【図４】作業用通路走行時ではない常時の圃場と苗移植機との関係を示す平面図である。
【図５】第２実施形態の要部を示す図面である。
【符号の説明】
【００３０】
１  苗移植機
２  走行車体
４  運転台
５  主フレーム
６  前輪
７Ａ、７Ｂ  後輪
１０  横断フレーム
１１、１２  左右の植付装置取付フレーム
２０、２０’、２１、２１’  植付装置
２０ａ、２０ｂ、２０ｃ、２０ｄ、２１ａ、２１ｂ、２１ｃ、２１ｄ  植付部
Ｂ  ボルト
【図１】
2007295871.tif 000003
【図２】
2007295871.tif 000004
【図３】
2007295871.tif 000005
【図４】
2007295871.tif 000006
【図５】
2007295871.tif 000007